(57)【要約】【課題】  空き心線の検索や接続設計などを迅速かつ正確に行えるようにする。【解決手段】  第１の光ファイバケーブルに含まれている光ファイバ心線の心線識別情報が記載された欄と、第２の光ファイバケーブルに含まれている光ファイバ心線の心線識別情報が記載された欄と、第３の光ファイバケーブルに含まれている光ファイバ心線の心線識別情報が記載された欄とを有する。第１の光ファイバケーブルに含まれている第１の光ファイバ心線の心線識別情報と、第２の光ファイバケーブルに含まれている光ファイバ心線のうち第１の接続装置により第１の光ファイバ心線と接続されている第２の光ファイバ心線の心線識別情報と、第３の光ファイバケーブルに含まれている光ファイバ心線のうち第２の接続装置により第２の光ファイバ心線と接続されている第３の光ファイバ心線の心線識別情報とが一直線上に配置されている。【選択図】  図２
2006308893.tif 000002
【特許請求の範囲】
【請求項１】
第１の地点と第２の地点とを結ぶ光ファイバ線路上に設けられた接続装置における光ファイバ心線の接続関係を示す早見表であって、
前記光ファイバ線路は、
前記第１の地点と第１の接続装置とを結ぶ第１の光ファイバケーブルと、
前記第１の接続装置と第２の接続装置とを結ぶ第２の光ファイバケーブルと、
前記第２の接続装置と前記第２の地点とを結ぶ第３の光ファイバケーブルとを含み、
前記第１の接続装置は、
前記第１の光ファイバケーブルに含まれている光ファイバ心線と前記第２の光ファイバケーブルに含まれている光ファイバ心線とを接続するものであり、
前記第２の接続装置は、
前記第２の光ファイバケーブルに含まれている光ファイバ心線と前記第３の光ファイバケーブルに含まれている光ファイバ心線とを接続するものであり、
前記早見表は、
前記第１の光ファイバケーブルに含まれている光ファイバ心線の心線識別情報が記載された欄と、
前記第２の光ファイバケーブルに含まれている光ファイバ心線の心線識別情報が記載された欄と、
前記第３の光ファイバケーブルに含まれている光ファイバ心線の心線識別情報が記載された欄とを有し、
前記第１の光ファイバケーブルに含まれている第１の光ファイバ心線の心線識別情報と、前記第２の光ファイバケーブルに含まれている光ファイバ心線のうち前記第１の接続装置により前記第１の光ファイバ心線と接続されている第２の光ファイバ心線の心線識別情報と、前記第３の光ファイバケーブルに含まれている光ファイバ心線のうち前記第２の接続装置により前記第２の光ファイバ心線と接続されている第３の光ファイバ心線の心線識別情報とが一直線上に配置されている、
ことを特徴とする早見表。
【請求項２】
請求項１において、
前記早見表は、
前記第３の光ファイバケーブルに含まれている光ファイバ心線を前記第２の地点において利用しているユーザの識別情報が記載された欄をさらに有し、  前記第３の光ファイバケーブルに含まれている光ファイバ心線のうち前記第２の地点においてユーザに利用されている光ファイバ心線の心線識別情報と、当該ユーザの識別情報とが一直線上に配置されている、
ことを特徴とする早見表。
【発明の詳細な説明】
【技術分野】
【０００１】
本発明は、光ファイバ線路上に設けられたクロージャー等の接続装置における光ファイバ心線の接続関係を示す早見表に関する。
【背景技術】
【０００２】
高度情報インフラストラクチャ設備としての光ファイバ網は例えば道路や河川に沿って敷設されている。この種の光ファイバ網は、複数の光ファイバケーブルにそれぞれ含まれる光ファイバ心線をクロージャーや成端箱などの接続装置を介して相互に接続／分岐することにより敷設され、これによって光ファイバネットワークが構築される。ちなみにクロージャーや成端箱などの接続装置は、光ファイバケーブルの長さに応じて、一般的には１ｋｍ程度の間隔で設けられる。
【０００３】
このように構成された光ファイバ網における光ファイバ心線の割り付けは、接続装置ごとに作成されている「心線構成図」を用いて行われている。心線構成図の一例を図３に示す。
【特許文献１】特開２００３−２８４２１３号公報
【発明の開示】
【発明が解決しようとする課題】
【０００４】
一般的に光ファイバケーブルに内蔵されている光ファイバ心線は数百から千本程度に及ぶため、上述のような心線構成図を用いて光ファイバ心線の接続関係を確認する際には見誤りが発生しやすい。また、ある地点（Ａ地点）から別の地点（Ｂ地点）までを結ぶ光ファイバ心線は、途中に存在する複数の接続装置を介して接続されているため、Ａ地点からＢ地点までの光ファイバ心線の接続関係を追っていく際には複数の心線構成図を順に確認する必要があり非常に手間がかかる。
【課題を解決するための手段】
【０００５】
本発明による早見表は、第１の地点と第２の地点とを結ぶ光ファイバ線路上に設けられた接続装置における光ファイバ心線の接続関係を示すものである。前記光ファイバ線路は、前記第１の地点と第１の接続装置とを結ぶ第１の光ファイバケーブルと、前記第１の接続装置と第２の接続装置とを結ぶ第２の光ファイバケーブルと、前記第２の接続装置と前記第２の地点とを結ぶ第３の光ファイバケーブルとを含む。前記第１の接続装置は、前記第１の光ファイバケーブルに含まれている光ファイバ心線と前記第２の光ファイバケーブルに含まれている光ファイバ心線とを接続するものであり、前記第２の接続装置は、前記第２の光ファイバケーブルに含まれている光ファイバ心線と前記第３の光ファイバケーブルに含まれている光ファイバ心線とを接続するものである。前記早見表は、前記第１の光ファイバケーブルに含まれている光ファイバ心線の心線識別情報が記載された欄と、前記第２の光ファイバケーブルに含まれている光ファイバ心線の心線識別情報が記載された欄と、前記第３の光ファイバケーブルに含まれている光ファイバ心線の心線識別情報が記載された欄とを有し、前記第１の光ファイバケーブルに含まれている第１の光ファイバ心線の心線識別情報と、前記第２の光ファイバケーブルに含まれている光ファイバ心線のうち前記第１の接続装置により前記第１の光ファイバ心線と接続されている第２の光ファイバ心線の心線識別情報と、前記第３の光ファイバケーブルに含まれている光ファイバ心線のうち前記第２の接続装置により前記第２の光ファイバ心線と接続されている第３の光ファイバ心線の心線識別情報とが一直線上に配置されている。
【０００６】
好ましくは、上記早見表は、前記第３の光ファイバケーブルに含まれている光ファイバ心線を前記第２の地点において利用しているユーザの識別情報が記載された欄をさらに有し、前記第３の光ファイバケーブルに含まれている光ファイバ心線のうち前記第２の地点においてユーザに利用されている光ファイバ心線の心線識別情報と、当該ユーザの識別情報とが一直線上に配置されている。
【発明の効果】
【０００７】
本発明による早見表では、第１の地点と第２の地点とを結ぶ光ファイバ心線（第１〜第３の光ファイバ心線）の心線識別情報が一直線上に配置されているため、各接続装置における光ファイバ心線の接続関係が容易に分かり、また、第１の地点から第２の地点までの光ファイバ心線の接続関係を追っていく際にも一直線上に識別情報をたどっていけばよいため、空き心線の検索や接続設計などを迅速かつ正確に行うことができる。
【発明を実施するための最良の形態】
【０００８】
以下、本発明の実施形態による早見表について説明する。この早見表は、光ファイバ線路上に設けられたクロージャー等の接続装置における光ファイバ心線の接続関係を示すものである。ここでは、図１に示すような光ファイバ線路についての早見表を例にして説明する。なお、図１に示す光ファイバ線路は、本発明による早見表のポイントをわかりやすく説明するためのものであり、実際の光ファイバ線路の構成に比べて簡略化されている。
【０００９】
図１に示す光ファイバ線路では、センターとＡ〜Ｃ地区とが光ファイバケーブルＡ〜Ｃおよびクロージャー１〜２により接続されている。センターからＣ地区まで延線されている光ファイバケーブルＡ（１６心ケーブル）は、クロージャー１において光ファイバケーブルＢ（８心ケーブル）と分岐接続されている。光ファイバケーブルＢは、クロージャー１からＢ地区まで延線されており、クロージャー２において光ファイバケーブルＣ（４心ケーブル）と分岐接続されている。光ファイバケーブルＣは、クロージャー２からＡ地区まで延線されている。
【００１０】
図１に示した光ファイバ線路についての早見表を図２に示す。この早見表２００は、ペーパーに表示されたものであってもよいし、コンピュータ等の情報通信機器のディスプレイに表示されたものであってもよい。この早見表２００には、光ファイバケーブルＡに含まれている光ファイバ心線の心線番号（１〜１６）が記載された欄２０１と、光ファイバケーブルＢに含まれている光ファイバ心線の心線番号（１〜８）が記載された欄２０２と、光ファイバケーブルＣに含まれている光ファイバ心線の心線番号（１〜４）が記載された欄２０３と、顧客情報が記載された欄２０４とが設けられている。
【００１１】
光ファイバケーブルＡの心線番号（１〜８）と光ファイバケーブルＢの心線番号（１〜８）とがそれぞれクロージャー１において接続されており、接続されている光ファイバ心線の心線番号同士が横一列になるように配置されている。また、光ファイバケーブルＢの心線番号（５〜８）と光ファイバケーブルＣの心線番号（１〜４）とがそれぞれクロージャー２において接続されており、接続されている光ファイバ心線の心線番号同士が横一列になるように配置されている。
【００１２】
光ファイバケーブルＢの心線番号（１〜４）はＡ地区まで延線されており、Ａ地区において顧客に利用されている光ファイバ心線の心線番号（ここではケーブルＢの心線番号３）と、当該顧客の顧客情報（ここでは管理Ｎｏ「７７７」、顧客名「中電太郎」）とが横一列になるように配置されている。また、Ａ地区において顧客に利用されていない光ファイバ心線の心線番号（ここではケーブルＢの心線番号１，２，４）と、空欄の顧客情報とが横一列になるように配置されている。
【００１３】
光ファイバケーブルＣの心線番号（１〜４）はＢ地区まで延線されており、Ｂ地区において顧客に利用されている光ファイバ心線の心線番号（ここではケーブルＣの心線番号３）と、当該顧客の顧客情報（ここでは管理Ｎｏ「３３３」、顧客名「中電次郎」）とが横一列になるように配置されている。また、Ｂ地区において顧客に利用されていない光ファイバ心線の心線番号（ここではケーブルＣの心線番号１，２，４）と、空欄の顧客情報とが横一列になるように配置されている。
【００１４】
光ファイバケーブルＡの心線番号（９〜１６）はＣ地区まで延線されており、Ｃ地区において顧客に利用されている光ファイバ心線の心線番号（ここではケーブルＡの心線番号１４）と、当該顧客の顧客情報（ここでは管理Ｎｏ「５５５」、顧客名「中電三郎」）とが横一列になるように配置されている。また、Ｃ地区において顧客に利用されていない光ファイバ心線の心線番号（ここではケーブルＡの心線番号９〜１３，１５〜１６）と、空欄の顧客情報とが横一列になるように配置されている。
【００１５】
このように、本実施形態による早見表２００では、センターと各地区とを結ぶ光ファイバ心線の心線番号が横一列に配置されているため、各クロージャー１，２における光ファイバ心線の接続関係が容易に分かり、また、センターから各地点までの光ファイバ心線の接続関係を追っていく際にも横に一直線上に心線番号をたどっていけばよい。したがって本実施形態による早見表２００を用いれば、空き心線の検索や接続設計などを、心線を見誤ることなく迅速に行うことができる。
【産業上の利用可能性】
【００１６】
本発明の早見表は、光ファイバ心線の空き心線の検索や接続設計などを迅速かつ正確に行うために有用である。
【図面の簡単な説明】
【００１７】
【図１】光ファイバ線路の構成例を示す図である。
【図２】本発明の実施形態による早見表の一例を示す図である。
【図３】従来の心線構成図の一例を示す図である。
【図１】
2006308893.tif 000003
【図３】
2006308893.tif 000004
【図２】
2006308893.tif 000005